(57)【特許請求の範囲】
【請求項１】
スパウトと該スパウトに装着するキャップとからなり、前記スパウトが、台座リングの上面内周縁部に注出筒を立設し、該注出筒の内側下方を封鎖板を設けて封止し、該封鎖板の開口予定位置に環状薄肉脆弱部を形成し、該環状薄肉脆弱部の内側近傍の上面の一側に、先端にプルリングを接続する支柱を立設し、フランジにおいて超音波シール法で容器に取り付けられるプルリング付口栓において、前記スパウトの前記台座リングの下端外周に、平らな上面をもつ前記フランジを設け、前記環状薄肉脆弱部を、前記封鎖板の下面より環状切込みを設けて上面に形成し、該環状薄肉脆弱部下端の位置を、前記台座リングの下面より２ｍｍ以上の上方位置に設け、前記台座リングの上下方向における中央部より下方を、その内径を上方の内径より大きくして、肉薄に形成し、前記環状薄肉脆弱部の厚みが０．２４〜０．３０ｍｍであり、かつ、前記封鎖板の前記環状薄肉脆弱部より外側の肉厚を、前記環状薄肉脆弱部より内側の前記封鎖板の肉厚の３０％を超え７０％未満にしたことを特徴とするプルリング付口栓。
【請求項２】
前記支柱の中央に口栓内側に向かって補強リブを設けたことを特徴とする請求項１記載のプルリング付口栓。
【発明の詳細な説明】
【０００１】
【発明の属する技術分野】
本発明は、液体用紙容器の頂部に、超音波シール法により内付けで突設するスパウトと、そのスパウトに装着するキャップとからなり、プルリングでスパウトを開口するプルリング付口栓に関するものである。
【０００２】
【従来の技術】
従来、食品や非食品の液体内容物に使用される液体用紙容器には、使用時の使い易さを考慮して、例えば、図３に示すように、胴部（２１）が四角筒状で、切り妻屋根形の頂部の傾斜板（２２）にスパウト（１００）とキャップ（２００）とからなる口栓（１０）を突設した液体用紙容器（２０）が、広い用途範囲にわたって使用されていた。この口栓は、容器の口栓取付孔から突出するスパウトの注出筒にキャップを螺着したものであるが、流通時の密封性の完全さやバージン性の確保、または、使用時の易開封性を兼ね備えるために、例えば図２（ａ）及び（ｂ）に示すように、スパウト（１００）の注出筒（１２０）の内側の下方内面に封鎖板（１３０）を設けて封止し、使用時に開口するため、この封鎖板の下面の所定位置に垂直断面逆Ｖ字状の環状切込み（１３１）を設けて、上面の開口予定位置に環状薄肉脆弱部（１３２）を形成し、この環状薄肉脆弱部の内側近傍の上面の所定の一側に、先端にプルリング（１３４）をもつ支柱（１３３）を立設したものであり、容器を開封するために口栓を開口するときには、キャップ（２００）を取り外し、スパウト（１００）の注出筒（１２０）の内側に収容されているプルリング（１３４）に指先を掛けて上方へ引っ張って、封鎖板（１３０）の環状薄肉脆弱部（１３２）を引き裂いて開口していた。なお、開口したスパウトは、使用したのちに、キャップを注出筒に螺合して装着して再封止していた。
【０００３】
【発明が解決しようとする課題】
しかしながら、上述の従来のプルリング付口栓（１０）は、図３又は図２（ｂ）に示すように、容器（２０）の口栓取付孔（２１）にスパウト（１００）の注出筒（１２０）を突出させて、台座リング（１１０）の下端外周面に周設するフランジ（１４０）の熱融着リング（１４１）をもつ上面と、容器の内面とを超音波シール法で熱融着するときに、発生する超音波の振動エネルギーによって、注出筒の内側に設けられた封鎖板（１３０）の環状薄肉脆弱部（１３２）にクラックを生じて密封性が損なわれることがあった。また、フランジ上面に設けられて熱融着リングにより使用するホーンの径が規制された。
【０００４】
本発明は、上述の従来のプルリング付口栓の問題を解決したものであり、口栓を容器に超音波シール法で熱融着するときに、スパウトの封鎖板の環状薄肉脆弱部にクラックを発生することがなく、使用するホーンの規制が少なく、また、プルリングでスパウトを開口し易いプルリング付口栓を提供するものである。
【０００５】
【課題を解決するための手段】
すなわち、本発明の第１の発明は、スパウトと該スパウトに装着するキャップとからなり、前記スパウトが、台座リングの上面内周縁部に注出筒を立設し、該注出筒の内側下方を封鎖板を設けて封止し、該封鎖板の開口予定位置に環状薄肉脆弱部を形成し、該環状薄肉脆弱部の内側近傍の上面の一側に、先端にプルリングを接続する支柱を立設し、フランジにおいて超音波シール法で容器に取り付けられるプルリング付口栓において、前記スパウトの前記台座リングの下端外周に、平らな上面をもつ前記フランジを設け、前記環状薄肉脆弱部を、前記封鎖板の下面より環状切込みを設けて上面に形成し、該環状薄肉脆弱部下端の位置を、前記台座リングの下面より２ｍｍ以上の上方位置に設け、前記台座リングの上下方向における中央部より下方を、その内径を上方の内径より大きくして、肉薄に形成し、前記環状薄肉脆弱部の厚みが０．２４〜０．３０ｍｍであり、かつ、前記封鎖板の前記環状薄肉脆弱部より外側の肉厚を、前記環状薄肉脆弱部より内側の前記封鎖板の肉厚の３０％を超え７０％未満にしたことを特徴とするプルリング付口栓である。
【０００６】
次に、本発明の第２の発明は、前記支柱の中央に内側口栓に向かって補強リブを設けたことを特徴とする請求項１記載のプルリング付口栓である。
【０００９】
【発明の実施の形態】
次に、本発明のプルリング付キャップの実施の形態について、図を用いて詳細に説明する。
図１（ａ）は、本発明の一実施形態のプルリング付口栓の構造を示す断面図であり、図（ｂ）は、そのスパウトの拡大断面図である。図３は、頂部傾斜板にプルリング付口栓を突設する一例の液体用紙容器の斜視図である。
【００１０】
本発明の一実施形態のプルリング付キャップ（１０）は、図３に示すように、液体用紙容器（２０）の頂部傾斜板に超音波シール法で突設させるスパウトとこのスパウトに螺合させて装着するキャップ（２００）とからなり、スパウトは、図１（ａ）に示すように、台座リング（１１０）の上面内周縁部に、外周面にキャップとの螺合部（１２１）をもつ注出筒（１２０）を立設し、この注出筒の内側下方を封鎖板（１３０）を設けて封止し、この封鎖板の開口予定位置に環状薄肉脆弱部（１３２）を形成し、この環状薄肉脆弱部の内側近傍の上面の一側に、先端にプルリング（１３４）を接続する支柱（１３３）を立設するものであり、キャップ（２００）は、周壁（２２０）の内周面にスパウトとの螺合部（２２１）をもち、天板（２１０）の下面にスパウトを封止するコンタクト封止リング（２１１）（先端をスパウト口部天面に密接）やインナー封止リング（２１２）（外周面をスパウト口部内周面に密接）を垂設するものである。スパウトは、通常、ポリエチレンなどの熱可塑性樹脂を用い、キャップは、通常、ポリプロピレンなどの熱可塑性樹脂を用いて、射出成形法により作製するものである。
【００１１】
そして、図１（ａ）又は（ｂ）に示すように、スパウト（１００）の台座リング（１１０）の下端外周に、平らな上面をもつフランジ（１４０）を設け、環状薄肉脆弱部（１３２）を、封鎖板（１３０）の下面より、通常、逆Ｖ字状の環状切込み（１３１）を設けて上面に形成し、この環状薄肉脆弱部下端の位置を、台座リングの下面より２ｍｍ以上の上方位置に設け、台座リングの上下方向における中央部より下方の内径を、上方の内径より大きくして肉薄に形成し、封鎖板の環状薄肉脆弱部より外側の肉厚（ｈ２）を、環状薄肉脆弱部より内側の封鎖板の肉厚（ｈ１）より薄く形成するものである。また、支柱（１３３）の中央に口栓内側に向かって補強リブ（１３５）を設け、環状薄肉脆弱部の厚みを０．２４〜０．３０ｍｍにし、封鎖板の環状薄肉脆弱部より外側の肉厚（ｈ２）を、通常、環状薄肉脆弱部より内側の封鎖板の肉厚（ｈ１）の３０〜７０％にするものである。発明者らの試作における知見においては、環状薄肉脆弱部の厚みが、０．２４ｍｍ以下では、超音波でクラックを発生することがあり、０．３０ｍｍ以上では、プルリングを引っ張ったときに、環状薄肉脆弱部が引き裂きにくくなる。また、環状薄肉脆弱部より外側の封鎖板の肉厚を、環状薄肉脆弱部より内側の封鎖板の肉厚より３０％以下にすると強度が弱く、環状薄肉脆弱部より内側の封鎖板の肉厚より７０％以上では、超音波により環状薄肉脆弱部にクラックを発生することがある。なお、封鎖板の上面位置は、通常、台座リング台座リングの上面位置より０．５ｍｍだけ上方位置に設け、また、図１（ｂ）に示すように、台座リング（１１０）の容器（２０）外面位置の外周面に、容器へ取り付けるときに必要となる仮止め突起（１１１）を設けるものである。
【００１２】
上述した本発明のプルリング付口栓のスパウトは、図１（ｂ）に示すように、容器（２０）のスパウト取付孔（２１）に注出筒（１２０）と台座リング（１１０）を突出させ、フランジ（１４０）の上面を容器のスパウト取付孔の外周縁部内面に超音波シール法で熱融着するときに、従来のプルリング付口栓のスパウトと比較して、封鎖板（１３０）の環状薄肉脆弱部（１３２）が、台座リングの下面より２ｍｍ以上の上方位置に設けてあるため、超音波の振動源より遠くに位置し、また、台座リングの下方の内径を、上方の内径より大きくして肉薄にしてあるため、超音波の振動エネルギーが吸収され減衰し、さらに、封鎖板の環状薄肉脆弱部より外側の肉厚（ｈ２）を、通常、環状薄肉脆弱部より内側の封鎖板の肉厚（ｈ１）より薄くすることにより、超音波の振動エネルギーが吸収され減衰するため、環状薄肉脆弱部にクラックを発生することがない。また、フランジの上面に熱融着リングがなく平らであるため、使用する超音波シール用ホーンの規制が少ない。
【００１３】
また、本発明のプルリング付口栓のスパウトの環状薄肉脆弱部は、封鎖板の下面より環状切込みを設けて上面に形成したものであり、封鎖板の上面より環状切込みを設けて下面に形成したものよりも、環状薄肉脆弱部が同じ強度でもプルリングを引っ張ったときに引き裂き易く、また、支柱の中央に口栓内側に向かって補強リブを設けてあるため、プルリングを引っ張ったときの支点が後方にあり、梃子の原理で環状薄肉脆弱部を引き裂き易く、この結果、環状薄肉脆弱部の厚みを厚くでき、超音波によるクラックが入りにくくなる。
【００１４】
【発明の効果】
本発明のプルリング付口栓は、スパウトを容器に超音波シール法で熱融着して取り付けるときに、使用する超音波シール用ホーンの規制が少なく、スパウトの封鎖板の環状薄肉脆弱部にクラックを発生することがなく、生産効率が極めて良好であり、また、容器を開封するときに、スパウトの注出筒の内側に収容されているプルリングを指に引っかけて上方へ引っ張ることにより、封鎖板の環状薄肉脆弱部を引き裂いて、容易にスパウトを開口することができる。
【図面の簡単な説明】
【図１】  （ａ）は、本発明の一実施形態のプルリング付口栓の構造を示す断面図であり、（ｂ）は、そのスパウトの拡大断面図である。
【図２】  （ａ）は、従来の一例のプルリング付口栓の構造を示す断面図であり、（ｂ）は、そのスパウトの拡大断面図である。
【図３】  一例の液体用紙容器の斜視図である。
【符号の説明】
１０……口栓
２０……容器
２１……口栓取付孔
２２……傾斜板
２３……胴部
１００……スパウト
１１０……台座リング
１１１……仮止め突起
１２０……注出筒
１２１，２２１……螺合部
１３０……閉鎖板
１３１……環状切込み
１３２……環状薄肉脆弱部
１３３……支柱
１３４……プルリング
１３５……補強リブ
１４０……フランジ
１４１……熱融着リング
２００……キャップ
２１０……天板
２１１……コンタクト封止リング
２１２……インナー封止リング
２２０……周壁
ｈ１，ｈ２……肉厚
【図１】
0004651847.tif 000002
【図２】
0004651847.tif 000003
【図３】
0004651847.tif 000004